(57)【要約】【課題】シリンジを口腔内で使用した時に、気腫が発生しない程度の流量に制限し、術者が、気腫の発生を心配することなく、安心して使用することのできる歯科用シリンジを提供する。【解決手段】歯科用シリンジにおいて、操作レバーの操作（押下量）を制限するストッパ手段を設け、該シリンジを口腔内で使用する場合には、該ストッパ手段により、水及びエアの最大噴射量を制限する。シリンジ内の水通路及びエア通路の流量のそれぞれ調整する操作レバー１，２を並列に配設して有し、これら操作レバー１，２を単独に或いは同時に押下し、その押下量に応じて水及び／又はエアの流量を調整する。ストッパ手段４０は操作レバー１，２の押下量を制限するもので、口腔内で使用する時は、４０’にて示す位置にし、操作レバー１，２の押下を制限し、水及びエアの最大流量を制限する。【選択図】図１
2007301249.tif 000002
【特許請求の範囲】
【請求項１】
水通路及びエア通路とこれら水通路及びエア通路の流量を調整する水操作レバー及びエア操作レバーを並列に配設して有し、これら操作レバーを単独に或いは同時に押下し、その押下量に応じて水及び／又はエアの流量を調整するようにした歯科用シリンジにおいて、前記エア操作レバーの押下量を制限して前記エアの最大流量を規制するストッパ手段を有することを特徴とする歯科用シリンジ。
【請求項２】
前記ストッパ手段は、前記エア操作レバーを最大限押下可能な位置と前記最大流量を規制する位置との間で移動可能であることを特徴とする請求項１に記載の歯科用シリンジ。
【請求項３】
前記ストッパ手段の前記最大流量を規制する位置は、前記エアを口腔内に噴射する時の最大流量を規制する位置であることを特徴とする請求項１又は２に記載の歯科用シリンジ。
【発明の詳細な説明】
【技術分野】
【０００１】
本発明は、歯科治療において、水、エア、又は、スプレ（エアと水との混合流）を噴射する歯科用シリンジに関し、より詳細には、口腔内に水及び／又はエアを噴射する時の最大噴射を制限して気腫の発生等を防止するようにした歯科用シリンジに関する。
【背景技術】
【０００２】
図４は、従来の歯科用シリンジの使用例を説明するための全体斜視図で、図中、１０は水噴射用操作レバー１、エア噴射用操作レバー２等を有する歯科用ハンドピース（シリンジ）本体、２０は該歯科用シリンジ本体１０に着脱自在に装着されたノズルチップ、３０は図示しない歯科治療用ユニットに連結され、該歯科治療用ユニットから水及びエアが供給されてくるホースで、周知のように、例えば、操作レバー１を押すと水がノズルチップ２０の先端より噴射され、操作レバー２を押すとエアがノズルチップ２０の先端より噴射され、操作レバー１と２を同時に押すとスプレ（エアと水の混合流）がノズルチップ２０の先端より噴射され、使用に応じて、前記操作レバー１，２を前述のごとき３通りの押し方の１つを選んで押すことにより、水、エア、又は、スプレを患者の口腔内に噴射し、該口腔内の例えば被治療部位を清掃し、或いは、口腔外で使用して加工義歯等の清掃に使用する。
【発明の開示】
【発明が解決しようとする課題】
【０００３】
上述のように、歯科用シリンジは、口腔内で使用する場合と、口腔外で使用する場合とがあり、エアの噴射量は、通常、０〜２０ＳＬＭであり、この範囲内で、術者が操作レバーの押下量を調整することによって噴射流量を調整しているが、口腔内で使用する時、全開にして（最大流量を流して）使用すると、気腫等が発生する恐れがある。そのため、口腔内で使用する場合は、術者は、エア操作レバーの押し加減を調整しながら（つまり、口腔内使用時でのエアの流量を最大噴射流量以下に抑えながら）噴射流量を調整しなければならず、その調整に神経を使い、ストレスがたまる等の問題があった。
【０００４】
本発明は、上述のごとき実情に鑑みてなされたもので、従来の歯科用シリンジにおいて、エア操作レバーの操作量を制限するストッパ手段を設け、該シリンジを口腔内で使用する場合には、該ストッパ手段により、エアの最大噴射量を制限し、好ましくは、口腔内で使用した時に、エアの流量を前述のごとき気腫が発生しない程度の最大流量とし、術者が気腫の発生を心配することなく、安心して使用することのできる歯科用シリンジを提供することを目的としてなされたものである。
【課題を解決するための手段】
【０００５】
請求項１の発明は、水通路及びエア通路とこれら水通路及びエア通路の流量を調整する水操作レバー及びエア操作レバーを並列に配設して有し、これら操作レバーを単独に或いは同時に押下し、その押下量に応じて水及び／又はエアの流量を調整するようにした歯科用シリンジにおいて、前記エア操作レバーの押下量を制限して前記エアの最大流量を規制するストッパ手段を有することを特徴としたものである。
【０００６】
請求項２の発明は、請求項１の発明において、前記ストッパ手段は、前記エア操作レバーを最大限押下可能な位置と前記最大流量を規制する位置との間で移動可能であることを特徴としたものである。
【０００７】
請求項３の発明は、請求項１又は２の発明において、前記ストッパ手段の前記最大流量を規制する位置は、前記エアを口腔内に噴射する時の最大流量を規制する位置であることを特徴としたものである。
【発明の効果】
【０００８】
シリンジを口腔外で使用する時と口腔内で使用する時では、噴射するエアの最大流量が異なるが、本発明においては、使用できるエアの最大流量を制御することができるので、安全に使用することができる。換言すれば、シリンジを口腔内で使用する場合、エアの噴射量が安全最大流量になれば、ロックがかかってエア操作レバーがそれ以上動かなくなり、術者（ドクタ）は、エアの噴射流量に神経を使いながら使用するようなことがなくなり、術者のストレスを軽減することができる。
【発明を実施するための最良の形態】
【０００９】
図１は、本発明による歯科用シリンジの一実施例を説明するための全体概略構成図で、図中、１，２は、図２に示した操作レバー１，２と同様の動作をする操作レバーで、これら操作レバー１，２は、図１に示したように、２本が並列に配列されており、いずれか一方が単独に、或いは、両方が一緒に押下されるようになっている。これら操作レバー１，２は、常時は、図示しないバネ等により、図示状態（上方に押し上げられた状態）に保持され、この状態で、水通路及びエア通路のそれぞれに配設された流量調整弁を閉じ、水及びエアの流通を阻止している（弁閉状態にしている）。
【００１０】
図１において、４０は、本発明によって付加されたストッパ部材で、該ストッパ部材４０は、エア噴射操作レバー２の下方において、該エア操作レバー２の押下通路を横切る方向に延長している軸４０から成り、該軸（ストッパ軸）４０が矢印Ｆ方向に移動可能となっている。（なお、図１においては、ストッパ軸４０が手前側に記載されており、水操作レバー１の下側にも延長しているように見えるが、これは、理解を容易にするためのものであって、実際には、裏側（反対側）に記載されるべきもので、該ストッパ軸４０はエア操作レバー２の下側にのみ延長し、水操作レバー１の下側には延長していない。）而して、ストッパ軸４０が４０にて示す位置にある時は、操作レバー１，２は、従来のシリンジと全く同様に操作することができ、操作レバー１，２を最大限押下して、最大流量の水及びエアを噴射することが可能である。本発明において、ストッパ軸４０を、この４０の位置にした状態にしたままで、口腔内使用をすることも可能であり、その場合には、エアを過大に噴射させて前述のごとき気腫を発生させてしまう恐れがある。
【００１１】
本発明は、このような気腫の発生を防止することを目的としてなされたものであり、シリンジを口腔内で使用する時は、ストッパ軸４０を４０’の位置に移動して使用する。ストッパ軸４０が４０’の位置にある時は、エア操作レバー２を最大限押下することができず、該ストッパ軸４０によって押下が途中で阻止されてしまい、それ以上に押下することができなくなる。そのため、ノズルチップ２０の先端から噴射されるエアの最大噴射量も、このストッパ軸４０の位置によって規制される量（つまり、気腫が発生されない量）に限定される。
【００１２】
図２は、図１に示した歯科用シリンジの操作レバー１（又は２）部の縦方向概略断面図で、操作レバー１及び２はピボット軸３を中心に回動可能となっており、これら操作レバー１及び／又は２を図示しないバネ力に抗して矢印Ａ方向に押下すると、前記ピボット軸３を中心に矢印Ｂ方向に回動する。各操作レバー１，２の下部後端側（ピボット軸３側）には、水及びエアの流通路に設けられた流量調整弁１１（及び１２：図示せず）を作動させるための突起１ａ（及び２ａ）を有し、操作レバー１（又は２）の押下に伴って該突起１（及び／又は２）が矢印Ｃ方向に回動して流量調整弁１１（及び／又は１２）を矢印Ｄ方向に移動し、その移動量に応じて流量調整弁１１の開度を調整し、その開度に応じた流量を流す。
【００１３】
操作レバー１（及び２）の先端下部には突起１ｂ（及び２ｂ）を有し、操作レバー１（及び２）が押下された時、これら先端下部の突起１ｂ（及び２ｂ）が矢印Ｅ方向に移動し、下部先端部が固定面１０’に当った時に、その下方への移動が阻止され、この時の、流量調整弁１１（及び１２）の開度が最大となり、従って、ノズルチップ２０から噴射される水及び／又はエアの流量が最大となる。この時の最大噴射流量は、口腔外で使用する時の最大噴射流量であり、ストッパ軸４０をこの状態にした状態（４０の位置にした状態）で使用すると、口腔内で使用する場合に、エアの噴射量が過大になってしまい、術者にストレスがかかる。
【００１４】
ストッパ軸４０は、実線にて示す位置４０から破線にて示す位置４０’までの間で移動可能となっており、例えば、シリンジを口腔内で使用したい時は、該ストッパ軸４０を破線４０’にて示す位置に移動して使用する。このようにすると、換言すれば、ストッパ軸４０を破線４０’にて示す位置に移動して使用すると、操作レバー２を押下した時に、該操作レバー２は、ストッパ軸４０に当って、それ以下に押下することができず、従って、エア流量調整弁１２は、その位置によって決まる最大流量までしかエアを流すことができない。ストッパ軸４０のこの破線４０’にて示す位置におけるエア流量を口腔内使用時における最大流量に規制しておけば、シリンジを口腔内で使用している時に、ストッパ軸４０をこの破線４０’にて示す位置にした時の流量以上のエアを流すようなことはなく、術者は、安心して、操作レバー２を操作して、歯科治療を行うことができる。なお、以上には、ストッパ手段４０にて、シリンジを、口腔内で使用する時のエア最大流量を規制する例を示したが、該ストッパ手段にて口腔外で使用する場合におけるエア最大流量を規制するようにしてもよい。
【００１５】
図３は、本発明による歯科用シリンジの他の実施例を説明するための要部概略構成図で、図３（Ａ）は、本発明によるシリンジの操作レバー部を上から見た図で、本実施例においては、ストッパ部材は、図３（Ｂ）に示すように、エア操作レバー２の下部に延長するストッパ軸４０と該ストッパ軸４０を一体的に固定した可動板５０とから成り、該可動板５０はピボット軸３が挿通される水平方向（横長）に延長する細長のスリット５１を有し、該可動板５０は、矢印Ｇ方向に移動可能となっている。可動板５０が図３（Ｃ）に示す４０の位置にある時は、エア操作レバー２を押下しても、該エア操作レバー２はストッパ軸４０に当るようなことはなく、エア操作レバー２は、従来のシリンジと全く同様にして使用することができる。
【００１６】
ここで、本シリンジを口腔内で使用する時に、可動板５０を図３（Ｃ）に示す４０の位置から右方向に移動して４０’にて示す位置にすると、ストッパ軸４０がエア操作レバー２の下側に位置され、これによって、エア操作レバー２の押下が制限され、エアの最大噴射が規制され、図１及び図２に示した実施例と同様、口腔内使用時におけるエアの最大噴射量を制限することができる。
【図面の簡単な説明】
【００１７】
【図１】本発明による歯科用シリンジの一実施例を説明するための要部概略構成図である。
【図２】本発明による歯科用シリンジの要部断面図である。
【図３】本発明による歯科用シリンジの他の実施例を説明するための要部分解図である。
【図４】従来の歯科用シリンジの一例を説明するための全体概略構成図である。
【符号の説明】
【００１８】
１…水噴射用操作レバー、２…エア噴射用操作レバー、３…ピボット軸、１０…歯科用シリンジ本体、１２…エア流量調整弁、２０…ノズルチップ、３０…水及びエア供給ホース、４０…ストッパ軸、５０…可動板、５１…スリット。
【図１】
2007301249.tif 000003
【図２】
2007301249.tif 000004
【図３】
2007301249.tif 000005
【図４】
2007301249.tif 000006